(57)【特許請求の範囲】
【請求項１】
車道の側部に立設された監査路に設けられ、ホースを収納するホース収納部を備えた箱状の本体と、本体の前面に設けられ、ホース収納部の前方に位置する開口部を有する前面パネルと、前面パネルの開口部に開閉可能に設けられ、背面側に操作レバー及びホースガイドを有する前傾式扉とを備え、前記前傾式扉が上端部分を有する上側扉と下端部分とを有する下側扉とからなり、前記前傾式扉の開放時において、前傾式扉の上端部分を、前傾式扉の下端部分よりも高さ方向において下方に位置させる回動機構が設けられた消火栓装置において、
前記上側扉は、前記下側扉の上端部に対して回動可能に接続されるとともに、背面側に消火ノズルを収納する凹んだ収納部が設けられ、前記下側扉の背面側には、前記ホースガイドが設けられることを特徴とする消火栓装置。
【請求項２】
前記上側扉は、前記前傾式扉全体の長さの3分の1の長さであり、前記下側扉は、前記前傾式扉全体の長さの3分の2の長さであり、前記ホースガイドは、前記上側扉と前記下側扉の境界付近に設けられることを特徴とする請求項1記載の消火栓装置。
【請求項３】
車道の側部に立設された監査路に設けられ、ホースを収納するホース収納部を備えた箱状の本体と、本体の前面に設けられ、ホース収納部の前方に位置する開口部を有する前面パネルと、前面パネルの開口部に開閉可能に設けられ、背面側に操作レバー及びホースガイドを有する前傾式扉とを備えた消火栓装置において、
前記前傾式扉の開放時において、前記前傾式扉を140度に回動させる回動機構を設け、前記本体は前記監査路に固定されたベース上に設けられ、前記ベースは、前記前傾式扉の開放時において、前記前傾式扉の上端部分が前記監査路にあたらないだけの高さを有することを特徴とする消火栓装置。
【発明の詳細な説明】
【技術分野】
【０００１】
本発明は、トンネル等に設置される前傾式の消火栓装置に関する。
【背景技術】
【０００２】
従来、トンネルには消火栓装置が設けられている。まず、この消火栓装置が設置される箇所について図５を用いて説明する。トンネル１の底面には、車道２が設けられ、その側部には、監視員等が通る監査路３が立設されている。監査路３は、車道より１ｍ程度の高さに設けられる。
監査路３から立ち上がっている壁面５には、箱抜き空間７が形成される。箱抜き空間７は、消火栓装置が収容される大きさであって、例えば、箱状(直方体状)に掘られて形成されている。この箱抜き空間７の床面にベースが固定され、そのベースを介して消火栓装置が配設される。
【０００３】
次に箱抜き空間７に設置される消火栓装置９について図６を用いて説明する。消火栓装置９は、ホースを収納するホース収納部を備えた箱状の本体１０と、本体１０の前面に設けられ、ホース収納部の前方に位置する開口部１２ｃを有する前面パネル１２と、前面パネル１２の開口部１２ｃに開閉可能に設けられる前傾式扉１４とを備えており、前述のベース上に設けられる。
【０００４】
前傾式扉１４の背面側には、逆Ｕ字状のホースガイド１６が設けられ、先端に消火ノズル１９が接続されたホース２０が通されている。また、前傾式扉１４の背面には、消火栓の操作レバー２２も備えられている。
【０００５】
消火栓装置９の前傾式扉１４は、前方に倒れるように開放動作するものであり、トンネル１内で火災が発生した場合には、前傾扉１４を開放させて、消火活動を行う。
【０００６】
前傾式扉１４が前傾する機構について、図７、図８を用いて説明する。前傾式扉１４は金属製であり重みがあることから、操作者が開放させる際、前傾扉１４が勢いよく開放しないように、ダンパ１８ｓのような緩衝手段を消火栓装置９内に設けてある。
消火栓装置９の本体１０にダンパ１８ｓの一端の取付部８９を固定し、また他端の取付部９０が前傾式扉１４に固定されている。このダンパ１８ｓは、本体内にオイルを備えてその中をシャフト８３に形成されたピストンが摺動するようになっている一般的なものである。このピストンは、シャフト８３が本体から伸びようとするときには、ピストンが緩慢な動きになり、逆に、縮もうとするときには、軽い力で縮むことができる。
ダンパ１８ｓによって開放する前傾式扉１４は、通常の状態から、前方に略９０度まで開放する。即ち、前傾式扉１４の開放時において、前傾式扉１４は監査路３と略平行な位置関係となる。この前傾式扉１４の開放状態において、前傾式扉１４の先端（上端）は、監査路３の幅内に収まっており、監査路３（車道側の先端）より大きく突出することはない。
【先行技術文献】
【特許文献】
【０００７】
【特許文献１】特開２００１−２３８９７６号公報
【発明の概要】
【発明が解決しようとする課題】
【０００８】
ところで、道路、トンネルにおいては、構造物等により車両や歩行者の交通の安全性・円滑性に支障をきたすことを防ぐため、構造物を配置してはならない一定の幅、一定の高さの範囲を、建築限界として定めている。
【０００９】
消火栓装置が設置される監査路の幅が狭かったり、または箱抜き空間がないトンネルにおいて消火栓装置を後付けで設置するような場合は、消火栓装置の前傾式扉が、トンネルの建築限界を侵す可能性がある。つまり、前傾式扉を開放させたとき、その扉の先端部が、監査路の幅を越えて、扉先端部が監査路から突出することになる。このとき車道側に突出する扉先端部の割合が大きいと、トンネルの建築限界を侵すことになり、また突出する割合がそれ程大きくなくとも、監査路から突出した扉は、トンネル火災における避難の妨げとなる。
【課題を解決するための手段】
【００１０】
車道の側部に立設された監査路に設けられ、ホースを収納するホース収納部を備えた箱状の本体と、本体の前面に設けられ、ホース収納部の前方に位置する開口部を有する前面パネルと、前面パネルの開口部に開閉可能に設けられ、背面側に操作レバー及びホースガイドを有する前傾式扉とを備え、前記前傾式扉が上端部分を有する上側扉と下端部分とを有する下側扉とからなり、前記前傾式扉の開放時において、前傾式扉の上端部分を、前傾式扉の下端部分よりも高さ方向において下方に位置させる回動機構が設けられた消火栓装置において、前記上側扉は、前記下側扉の上端部に対して回動可能に接続されるとともに、背面側に消火ノズルを収納する凹んだ収納部が設けられ、前記下側扉の背面側には、前記ホースガイドが設けられることを特徴とする消火栓装置。
【発明の効果】
【００１１】
本発明によれば、火災時等において、前傾式扉を開放させると、前傾式扉の上端部分を、前傾式扉の下端部分より下方に位置するまで回動させる回動機構を備えた。このため、前傾式扉の開放時において、前傾式扉の水平方向における突出量は、少なくとも前傾式扉を９０度回動させた場合よりも小さくすることができる。よって、前傾式扉の上端部分は、監査路から車道側に大きく突出することはなく、トンネルの建築限界が侵されるのを防止でき、前傾式扉が避難の妨げとなることはない。
【図面の簡単な説明】
【００１２】
【図１】本発明の実施形態１の消火栓装置の扉閉鎖時における正面図および側面図である。
【図２】本発明の実施形態１の消火栓装置の扉開放時における正面図および側面図である。
【図３】本発明の実施形態１の消火栓装置の扉開放時における上面図である。
【図４】本発明の実施形態２の消火栓装置の扉開放時における側面図である。
【図５】従来の消火栓装置の設置状態を示す図面である。
【図６】従来の消火栓装置の斜視図である。
【図７】消火栓装置の開放動作を説明する図面である。
【図８】消火栓装置の扉が開放された状態を示す図面である。
【発明を実施するための形態】
【００１３】
実施形態１
図１、図２、図３を用いて、本発明の実施形態１の消火栓装置について説明する。なお、従来例の消火栓装置と同じ部分にはこれと同じ符号を付けて説明を省略する。本実施の形態１においては、前傾式扉の構造だけが新規な構造であり、消火栓装置のそれ以外に係わる基本的な部分は従来例で示した消火栓装置９の構造とほぼ同じである。
【００１４】
前傾式扉２４は板状の金属板から構成され、扉の閉鎖時において、前面パネル１４の開口部１４ｃに設けられる。前傾式扉２４は、２つの部材（上側扉と下側扉）によって分離される。上側扉２４ａは、前傾式扉２４の上端部分を有する上側扉２４ａと、下端部分を有する下側扉２４ｂとに分離されている。上側扉２４ａの正面側には、前傾式扉２４を開放させる際に使用するハンドルが設けられ、下側扉２４ｂの背面側には、ホースガイド１６および操作レバー２２が設けられる。ホースガイド１６は、上側扉２４ａと下側扉２４ｂの境界付近に設けられる。また、上側扉２４ａの背面側には、消火ノズル１９を収納するための凹んだ収納部が形成され、収納部が消火ノズル１９を保持している。
上側扉２４ａの下端部と下側扉２４ｂの上端部とは、例えば、図示しない蝶番のような部材を使用して連結されており、蝶番により上側扉２４ａは、下側扉２４ｂの上端部分に対して回動可能に接続された状態にある。
【００１５】
上側扉２４ａは、前傾式扉２４全体の長さの大体３分の１の長さであり、下側扉２４ｂは、前傾式扉２４全体の長さの大体３分の２の長さとなっている。この各扉２４ａ、２４ｂの長さは一例であり、前傾式扉２４の開放時における監査路３からの突出量が建築限界を侵さない長さであれば、扉の長さは自由に選択できる。
【００１６】
なお、図面上、３つの矩形で示される部材は、操作説明銘板２６である。操作説明銘板２６は、ホース収納部（格納部)の前面側（扉側）に貼り付けてある。消火栓装置２９の開口部１４ｃは大きいので、操作説明銘板２６をホース収納部に貼り付けておくと、操作者にとって見やすい。
【００１７】
次に消火栓装置２９を操作する場合について説明する。トンネル１内で火災が発生すると、操作者は、まず消火栓装置２９の前傾式扉２４にあるハンドルをつかんで、前傾式扉２４を前面側（車道側）に引き出す。前傾式扉２４は、ダンバー１８ｓによって、ゆるやかに前方側に回動していき、下側扉２４ｂが９０度回動して、下側扉２４ｂが監査路３とほぼ平行になった段階で、下側扉２４ｂの回動は停止する。
【００１８】
下側扉２４ｂに回動可能に連結された上側扉２４ａは、下側扉２４ｂが停止した後、自重によって、更に９０度手前側へ回動した状態となる。つまり、上側扉２４ａは下側扉２４ｂに先端に対して垂れ下がった状態となり、前傾式扉２４は、開放時においては、上端側の部分（上側扉２４ａ）が下方へ折れ曲がるようにして、監査路３からの飛び出し量を小さくする。
【００１９】
このとき、上側扉２４ａが自重によって回転することで、操作者の目の前に上側扉２４ａの背面にある消火ノズル１９が現れるので、操作者は消火ノズル１９の存在に気付きやすい。また、下側扉２４ｂには、従来例と同様に、操作レバー２２とホースガイド１６があるので、操作者は、操作レバー２２を操作して、ホース２０を引き出して火災を消火できる。
【００２０】
このように、本実施形態では、前傾式扉２４の開放時において、前傾式扉２４の上端部分である上側扉２４ａを、前傾式扉２４の下端部分である下側扉２４ｂよりも高さ方向において下方に位置させる回動機構を設けたものである。
【００２１】
このため、前傾式扉２４の開放時において、前傾式扉２４の水平方向における突出量は、少なくとも前傾式扉を９０度回動させた場合よりも小さくすることができる。よって、前傾式扉２４の上端部分である上側扉２４ａは、監査路３から車道２側に大きく突出することはなく、トンネルの建築限界が侵されるのを防止でき、前傾式扉が避難の妨げとなることはない。
【００２２】
なお、前傾式扉の扉自体を小さくすることで、扉開放時における突出量を抑えることも可能であるが、扉を小さくすると、操作性が悪くなり、また操作説明銘板を扉等に取り付けることができなくなってしまう。特に扉を小さくすると、ホースガイドが消火栓装置本体側に近づくことになり、ホースの引き出し性能が悪くなってしまう。この点、本実施形態においては、従来例と同じ大きさの前傾式扉を利用したまま、扉開放時における突出量だけを小さくすることが可能である。
【００２３】
実施形態２
図４を用いて、本発明の実施形態２の消火栓装置について説明する。なお、従来例の消火栓装置と同じ部分にはこれと同じ符号を付けて説明を省略する。本実施の形態２においては、実施形態１と異なり、前傾式扉の構造も従来例と同じであり、前傾式を回動させる部分の構造だけが新規であり、消火栓装置のそれ以外に係わる部分は従来例で示した消火栓装置９の構造と同じである。
【００２４】
従来例の前傾式扉は、扉の開放時において、９０度開放するものであったが、本実施形態の消火栓装置は、前傾式扉３４を、９０度以上、例えば１２０度に回動させる回動機構を備えるものである。
【００２５】
前傾式扉自体３４は本体１０の下端部に対して回動可能に設けられている。回動する範囲は、ダンパー３９ｓのシャフトの長さを変えることで調整可能であり、本実施形態では、例えば、扉を１００度〜１４０度の範囲で回動できる長さのシャフトを有するダンパー３９ｓを使用している。
【００２６】
なお、扉の回動範囲を９０度以上にする回動機構としては、シャフトの長さを変えなくても、ダンパーの取付位置を調整することでも対応可能である。例えば、ダンパー３９ｓの前傾式扉３４の取付部の位置を本体１０側に設けることで、扉の回動する範囲を大きくすることができる。また同じように、ダンパー３９ｓの本体１０の取付部の位置を前傾式扉３４側に設けることで、扉の回動する範囲を大きくすることができる
消火栓装置３９の前面パネルに１２に対する前傾式扉３４の突出量は、扉３４が水平状態となる回動角度が９０度のときが一番大きいので、扉の回動角度を９０度よりも小さく又は大きくすることで、前傾式扉３４の突出量をわずかに減らすことが可能となる。
【００２７】
特に、前傾式扉３４の回動角度を９０度よりも大きくする場合には、回動角度を小さくする場合に比べて、扉の開放時における操作レバー２２の操作や、消火ノズル１９の取り出し作業が行いやすい。
【００２８】
なお、前傾式扉３４の回動角度を大きくすると、扉の開放時において、前傾式扉３４の上端部分が監査路３に当たってしまう可能性がある。そのため、本体１０をのせるためのベースは、扉開放時において、前傾式扉の上端（先端）部分が監査路３に当たらないだけの高さを持つものを使うとよい。
【００２９】
このように、本実施形態では、前傾式扉３４の開放時において、前傾式扉３４の上端部分を、前傾式扉３４の下端部分（本体１０の取付側）よりも高さ方向において下方に位置させる回動機構を設けたものである。
【００３０】
このため、前傾式扉３４の開放時において、前傾式扉３４の水平方向における突出量は、少なくとも前傾式扉を９０度回動させた場合よりも小さくすることができる。よって、前傾式扉３４の上端部分は、監査路３から車道２側に大きく突出することはなく、トンネルの建築限界が侵されるのを防止でき、前傾式扉が避難の妨げとなることはない。
【００３１】
本発明においては、２つの実施形態をそれぞれ説明したが、実施形態１と実施形態２とを組み合わせ、１２０度に回動する前傾式扉を２つの扉に分離して連結接続させるようにしてもよい。
【符号の説明】
【００３２】
１  トンネル、  ２  車道、  ３  監査路、  ５  壁面、  ７  箱抜き空間
９  消火栓装置、１０  本体、  １２  前面パネル、  １４  前傾式扉、
１６  ホースガイド、  １８ｓ  ダンパ、  １９  ノズル、  ２０  ホース、
２２  操作レバー、２４  前傾式扉、  ２４ａ  上側扉、  ２４ｂ  下側扉、
２９  消火栓装置、  ３４  前傾式扉、  ３９  消火栓装置、ｔａ
【図１】
0006545475.tif 000002
【図２】
0006545475.tif 000003
【図３】
0006545475.tif 000004
【図４】
0006545475.tif 000005
【図５】
0006545475.tif 000006
【図６】
0006545475.tif 000007
【図７】
0006545475.tif 000008
【図８】
0006545475.tif 000009